(57)【要約】【課題】蓄圧式燃料噴射装置の燃料低圧系で生じた異常を確実に検出することができる蓄圧式燃料噴射装置の異常診断装置を提供する。【解決手段】高圧ポンプ、コモンレール及び燃料噴射弁のうちの少なくとも一つから流出するリターン燃料を燃料タンクに戻すためのリターン通路内の圧力に基づいて電動低圧ポンプの吐出流量のフィードバック制御が行われる内燃機関の蓄圧式燃料噴射装置における燃料低圧系に生じた異常を検出するための蓄圧式燃料噴射装置の異常診断装置において、低圧燃料供給通路又はリターン通路内の圧力と相関関係を有する圧力相関値を検出する圧力相関値検出部と、圧力相関値を用いて燃料低圧系の異常の有無を判定する異常判定部と、を備える。【選択図】図３
2011058448.tif 000002
【特許請求の範囲】
【請求項１】
燃料の吐出流量を調節可能であり燃料タンク内の燃料を圧送する電動低圧ポンプと、前記燃料を加圧するとともに複数の燃料噴射弁が接続されたコモンレールに前記燃料を圧送する高圧ポンプと、前記燃料を前記電動低圧ポンプから前記高圧ポンプの加圧室に導く低圧燃料供給通路と、前記高圧ポンプ、前記コモンレール及び前記燃料噴射弁のうちの少なくとも一つから流出するリターン燃料を前記燃料タンクに戻すためのリターン通路と、を備え、前記リターン通路内の圧力に基づいて前記電動低圧ポンプの前記吐出流量のフィードバック制御が行われる内燃機関の蓄圧式燃料噴射装置における燃料低圧系に生じた異常を検出するための蓄圧式燃料噴射装置の異常診断装置において、
前記低圧燃料供給通路又は前記リターン通路内の圧力と相関関係を有する圧力相関値を検出する圧力相関値検出部と、
前記圧力相関値を用いて前記燃料低圧系の異常の有無を判定する異常判定部と、
を備えることを特徴とする蓄圧式燃料噴射装置の異常診断装置。
【請求項２】
前記蓄圧式燃料噴射装置の異常診断装置は前記圧力相関値の推定値を求める圧力相関推定値演算部を備え、
前記異常判定部は前記圧力相関値と前記圧力相関推定値とを比較することにより前記燃料低圧系の異常の有無を判定することを特徴とする請求項１に記載の蓄圧式燃料噴射装置の異常診断装置。
【請求項３】
前記異常判定部は前記圧力相関値を所定の基準値と比較することにより前記燃料低圧系の異常の有無を判定することを特徴とする請求項１に記載の蓄圧式燃料噴射装置。
【請求項４】
前記圧力相関値が圧力センサによって検出される圧力値であることを特徴とする請求項１〜３のいずれか一項に記載の蓄圧式燃料噴射装置の異常診断装置。
【請求項５】
前記圧力相関値が前記電動低圧ポンプに供給される前記電圧値又は電流値であることを特徴とする請求項１〜３のいずれか一項に記載の蓄圧式燃料噴射装置の異常診断装置。
【請求項６】
前記異常判定部は、前記燃料低圧系の異常が検出された場合に燃料温度又は前記内燃機関の冷却水の温度の少なくとも一方を検出し、前記燃料温度又は前記冷却水の温度が閾値未満であるときに前記燃料フィルタにおける前記燃料の固形化による異常の発生と判定することを特徴とする請求項１〜５のいずれか一項に記載の蓄圧式燃料噴射装置の異常診断装置。
【発明の詳細な説明】
【技術分野】
【０００１】
本発明は、蓄圧式燃料噴射装置の異常診断装置に関するものであり、特に、高圧ポンプに供給する燃料の流量を調節可能な電動低圧ポンプを備えた蓄圧式燃料噴射装置の異常診断を行う異常診断装置に関するものである。
【背景技術】
【０００２】
従来、内燃機関の気筒内に燃料を噴射する装置として、高圧ポンプによって供給される高圧状態の燃料を蓄積するコモンレールを備えた蓄圧式燃料噴射装置がある。蓄圧式燃料噴射装置は、燃料タンク内の燃料を吸い上げて圧送する低圧ポンプと、低圧ポンプによって圧送される燃料を加圧して圧送する高圧ポンプとを備えている。この蓄圧式燃料噴射装置に用いられる低圧ポンプとして、印加電圧や通電量を制御することで高圧ポンプへ圧送する燃料の吐出流量を調節可能な電動低圧ポンプが用いられる場合がある（特許文献１参照）。
【先行技術文献】
【特許文献】
【０００３】
【特許文献１】特開２００７−１９２１９８号公報
【発明の概要】
【発明が解決しようとする課題】
【０００４】
近年、電動低圧ポンプを備えた蓄圧式燃料噴射装置において、電動低圧ポンプから高圧ポンプに燃料を導くための低圧燃料供給通路又は燃料タンクにリターン燃料を戻すためのリターン通路内の圧力に基づいて電動低圧ポンプの吐出流量のフィードバック制御が行われるように構成された蓄圧式燃料噴射装置が研究され始めている。
【０００５】
ここで、蓄圧式燃料噴射装置では、装置内に発生した種々の異常によって、燃料供給通路内の圧力又はリターン通路内の圧力が異常値を示す場合がある。このような現象が現れる装置の異常としては、例えば、電動低圧ポンプの異常や燃料供給配管の詰まり、電動低圧ポンプと高圧ポンプとの間に備えられた燃料フィルタの詰まり、低温時の燃料の固形化等、装置の燃料低圧系での異常が挙げられる。このような異常が生じると、電動低圧ポンプの吐出流量に過不足を生じ、その結果、レール圧が異常状態になったり内燃機関が停止したりするおそれがあるとともに、運転者への警告がないままにコンポーネントや配管が破損し、燃料漏れ等を生じるおそれがある。したがって、燃料低圧系で生じた異常を確実に検出することができる異常診断方法が必要とされている。
【０００６】
本発明の発明者はこれらの問題に鑑み、低圧燃料供給通路又はリターン通路内の圧力に基づいて燃料の吐出流量がフィードバック制御される電動低圧ポンプを備えた蓄圧式燃料噴射装置において、燃料低圧系の異常の有無を診断するにあたり、電動低圧ポンプのフィードバック制御に用いられる低圧燃料供給通路又はリターン通路内の圧力と相関関係を有する圧力相関値を用いることにより上述した問題を解決できることを見出し、本発明を完成させたものである。すなわち、本発明は、蓄圧式燃料噴射装置の燃料低圧系で生じた異常を確実に検出することができる蓄圧式燃料噴射装置の異常診断装置を提供することを目的とする。
【課題を解決するための手段】
【０００７】
本発明によれば、燃料の吐出流量を調節可能であり燃料タンク内の燃料を圧送する電動低圧ポンプと、燃料を加圧するとともに複数の燃料噴射弁が接続されたコモンレールに燃料を圧送する高圧ポンプと、燃料を電動低圧ポンプから高圧ポンプの加圧室に導く低圧燃料供給通路と、高圧ポンプ、コモンレール及び燃料噴射弁のうちの少なくとも一つから流出するリターン燃料を燃料タンクに戻すためのリターン通路と、を備え、リターン通路内の圧力に基づいて電動低圧ポンプの吐出流量のフィードバック制御が行われる内燃機関の蓄圧式燃料噴射装置における燃料低圧系に生じた異常を検出するための蓄圧式燃料噴射装置の異常診断装置において、低圧燃料供給通路又はリターン通路内の圧力と相関関係を有する圧力相関値を検出する圧力相関値検出部と、圧力相関値を用いて燃料低圧系の異常の有無を判定する異常判定部と、を備えることを特徴とする蓄圧式燃料噴射装置の異常診断装置が提供され、上述した問題を解決することができる。
【０００８】
また、本発明の蓄圧式燃料噴射装置の異常診断装置を構成するにあたり、蓄圧式燃料噴射装置の異常診断装置は圧力相関値の推定値を求める圧力相関推定値演算部を備え、異常判定部は圧力相関値と圧力相関推定値とを比較することにより燃料低圧系の異常の有無を判定することが好ましい。
【０００９】
また、本発明の蓄圧式燃料噴射装置の異常診断装置を構成するにあたり、異常判定部は圧力相関値を所定の基準値と比較することにより燃料低圧系の異常の有無を判定することが好ましい。
【００１０】
また、本発明の蓄圧式燃料噴射装置の異常診断装置を構成するにあたり、圧力相関値が圧力センサによって検出される圧力値であることが好ましい。
【００１１】
また、本発明の蓄圧式燃料噴射装置の異常診断装置を構成するにあたり、圧力相関値が電動低圧ポンプに供給される電圧値又は電流値であることが好ましい。
【００１２】
また、本発明の蓄圧式燃料噴射装置の異常診断装置を構成するにあたり、異常判定部は、燃料低圧系の異常が検出された場合に燃料温度又は内燃機関の冷却水の温度の少なくとも一方を検出し、燃料温度又は冷却水の温度がそれぞれ閾値未満であるときに燃料フィルタにおける燃料の固形化による異常の発生と判定することが好ましい。
【発明の効果】
【００１３】
本発明の蓄圧式燃料噴射装置の異常診断装置によれば、低圧燃料供給通路又はリターン通路内の圧力と相関関係を有する圧力相関値を用いて燃料低圧系における異常の有無が判定されるため、燃料低圧系に異常が生じている場合に、低圧燃料供給通路又はリターン通路内の圧力値を利用して確実にその異常を検出することができる。したがって、燃料低圧系の異常に起因する電動低圧ポンプの吐出流量不足によるレール圧異常や内燃機関の停止、燃料漏れ等のおそれが低減される。
【００１４】
また、本発明の蓄圧式燃料噴射装置の異常診断装置において、圧力相関値を圧力相関値の推定値と比較して燃料低圧系の異常の有無を判定することにより、電動低圧ポンプによる燃料の吐出流量の過不足に起因する異常状態が確実に検出される。
【００１５】
また、本発明の蓄圧式燃料噴射装置の異常診断装置において、圧力相関値を所定の基準値と比較して燃料低圧系の異常の有無を判定することにより、低圧燃料供給通路あるいはリターン通路内の圧力が許容圧力を超えるような異常状態が検出され、燃料漏れの発生を未然に防止することができる。
【００１６】
また、本発明の蓄圧式燃料噴射装置の異常診断装置において、圧力相関値が圧力センサによって検出される圧力値であることにより、低圧燃料供給通路又はリターン通路内の圧力の異常を容易に検出することができる。
【００１７】
また、本発明の蓄圧式燃料噴射装置の異常診断装置において、圧力相関値が電動低圧ポンプに供給される電圧値又は電流値であることにより、低圧燃料供給通路又はリターン通路に圧力センサが備えられていない場合であっても、低圧燃料供給通路又はリターン通路内の圧力の異常を検出することができる。
【００１８】
また、本発明の蓄圧式燃料噴射装置の異常診断装置において、異常判定部が燃料低圧系の異常を検出した時にさらに燃料温度又は内燃機関の冷却水の温度の少なくとも一方の温度に基づき、燃料フィルタにおける燃料の固形化の発生を診断することにより、燃料低圧系の異常の原因が燃料の固形化に起因するものであるか否かを切り分けることができる。
【図面の簡単な説明】
【００１９】
【図１】第１の実施の形態にかかる蓄圧式燃料噴射装置の構成例を示す全体図である。
【図２】第１の実施の形態にかかる燃料低圧系の異常診断装置の構成例を説明するためのブロック図である。
【図３】第１の実施の形態にかかる第１の異常判定方法について説明するための図である。
【図４】第１の実施の形態にかかる第１の異常判定方法を実行するためのフローを示す図である。
【図５】第１の実施の形態にかかる第２の異常判定方法について説明するための図である。
【図６】第１の実施の形態にかかる第２の異常判定方法を実行するためのフローを示す図である。
【図７】第１の実施の形態にかかる第３の異常判定方法について説明するための図である。
【図８】第１の実施の形態にかかる第３の異常判定方法を実行するためのフローを示す図である。
【図９】第１の実施の形態にかかる第４の異常判定方法について説明するための図である。
【図１０】第１の実施の形態にかかる第４の異常判定方法を実行するためのフローを示す図である。
【図１１】第１の実施の形態にかかる第５の異常判定方法について説明するための図である。
【図１２】第１の実施の形態にかかる第５の異常判定方法を実行するためのフローを示す図である。
【図１３】燃料タンクへの還流流量と第１のリターン通路内の圧力との関係を示す図である。
【図１４】第２の実施の形態にかかる燃料低圧系の異常診断装置の構成例を説明するためのブロック図である。
【図１５】印加電圧が一定である場合の電動低圧ポンプの吐出側圧力と吐出流量と供給電流値との関係を示す図である。
【図１６】第２の実施の形態にかかる異常判定方法について説明するための図である。
【図１７】第２の実施の形態にかかる異常判定方法を実行するためのフローを示す図である。
【発明を実施するための形態】
【００２０】
以下、適宜図面を参照して、本発明の蓄圧式燃料噴射装置の異常診断装置に関する実施の形態について具体的に説明する。ただし、以下の実施の形態は本発明の一態様を示すものであり、この発明を限定するものではなく、本発明の範囲内で任意に変更することが可能である。なお、それぞれの図中、同じ符号を付してあるものは同一の部材を示しており、適宜説明が省略されている。
【００２１】
［第１の実施の形態］
１．蓄圧式燃料噴射装置
図１は、本発明の第１の実施の形態にかかる蓄圧式燃料噴射装置５０の構成例を示している。この蓄圧式燃料噴射装置５０は、車両のディーゼルエンジンの気筒内に燃料を噴射するための装置であり、燃料タンク１と、電動低圧ポンプ２と、燃料フィルタ４と、高圧ポンプ５と、コモンレール１０と、燃料噴射弁１３と、制御装置４０等を主たる要素として備えている。
【００２２】
電動低圧ポンプ２と燃料フィルタ４は低圧燃料供給通路１８ａで接続され、燃料フィルタ４と高圧ポンプ５のカム室１６は低圧燃料供給通路１８ｂで接続され、高圧ポンプ５のカム室１６と高圧ポンプ５の加圧室５ａは低圧燃料供給通路１８ｃで接続されている。低圧燃料供給通路１８ｃの途中には、加圧室５ａに供給される燃料の流量を制御する流量制御弁８が備えられている。また、流量制御弁８よりも上流側の低圧燃料供給通路１８ｃには圧力調整弁１４を介して第１のリターン通路３０ａが接続されており、第１のリターン通路３０ａの他端側は燃料タンク１に接続されている。第１のリターン通路３０ａには圧力センサ１１が備えられている。
【００２３】
高圧ポンプ５とコモンレール１０、コモンレール１０と燃料噴射弁１３は、それぞれ高圧燃料通路３７、３９で接続されている。コモンレール１０には第２のリターン通路３０ｂが接続され、燃料噴射弁１３には第３のリターン通路３０ｃが接続されている。第２のリターン通路３０ｂにはコモンレール１０から排出する燃料の流量を制御するための圧力制御弁１２が備えられている。また、第２のリターン通路３０ｂ及び第３のリターン通路３０ｃは第１のリターン通路３０ａに接続されている。また、コモンレール１０にはレール圧センサ２１が備えられている。
【００２４】
本実施形態の蓄圧式燃料噴射装置５０を構成する燃料タンク１は、その内部にサブタンク１ａを備えており、このサブタンク１ａ内に電動低圧ポンプ２が配置されている。サブタンク１ａの下部は一部開口しており、その開口部分に燃料導入通路３ａが設けられている。この燃料導入通路３ａはテーパ部分３ａａを有しており、テーパ部分３ａａ内には第１のリターン通路３０ａの端部がテーパ部分３ａａの内周面との間に隙間を設けて配設されている。
【００２５】
第１のリターン通路３０ａの端部側にはオリフィス３ｂが設けられている。これらの第１のリターン通路３０ａの端部と燃料導入通路３ａとによってジェットポンプ３が構成され、第１のリターン通路３０ａから燃料が流出する際の吸引力を利用して、サブタンク１ａ外の燃料がサブタンク１ａ内に導入されるようになっている。そのため、車両の傾きや走行時の加速、減速によって、燃料タンク１内の燃料の液面が傾いたとしても、電動低圧ポンプ２の吸込口が常時燃料中に浸漬され、電動低圧ポンプ２のエアの吸い込みが生じにくくなっている。
【００２６】
なお、燃料タンク１の構成は上述した例に限られるものではなく種々の変更が可能である。例えば、燃料タンク１内にサブタンク１ａを設けるとともにジェットポンプ３によって燃料をサブタンク１ａ内に吸引導入して電動低圧ポンプ２のエアの吸い込みを防止する構成以外に、例えば燃料タンクの底面に燃料の滞留部を設け、この滞留部に電動低圧ポンプ２の吸込口を配設するように構成することによっても、電動低圧ポンプ２のエアの吸い込みを防止することができる。この場合、第１のリターン通路３０ａの端部にオリフィスを設ける必要はない。
【００２７】
本実施形態の蓄圧式燃料噴射装置５０を構成する電動低圧ポンプ２は、制御装置４０によって印加される電圧の制御が行われ、電圧に応じた吐出流量で燃料を吐出する。本実施形態では、電動低圧ポンプ２に印加する電圧は第１のリターン通路３０ａに備えられた圧力センサ１１によって検出される圧力に基づいてフィードバック制御される。
【００２８】
このとき、圧力センサ１１によって検出される第１のリターン通路３０ａ内の圧力は、第１のリターン通路３０ａからのリターン燃料の流出によってサブタンク１ａ外の燃料をサブタンク１ａ内に吸引導入することが可能な程度の吸引力を発生させることができる還流流量が得られるような圧力、あるいは、高圧ポンプ５へ吐出されるべき電動低圧ポンプ２の吐出量が得られる圧力のうちのいずれか高い方の圧力値で維持されるように制御される。このように電動低圧ポンプ２の吐出流量を制御することで、リターン燃料の還流流量が最小限に抑えられ、電動低圧ポンプ２の出力をできる限り小さく抑えることができる。
【００２９】
なお、電動低圧ポンプ２は、サブタンク１ａ内に設けられたインタンク式のポンプに限られるものではなく、吸入口がサブタンク１ａ内に設けられていれば電動低圧ポンプ２は燃料タンク１の外部に設けられるものであってもよい。
【００３０】
また、本実施形態の蓄圧式燃料噴射装置５０においては、第１のリターン通路３０ａの端部側にオリフィス３ｂが設けられることで、第１のリターン通路３０ａ内の圧力が電動低圧ポンプ２の吐出流量の変化に伴って感度を示すようになっている。
このようなオリフィスを有しない構成の蓄圧式燃料噴射装置であっても、第１のリターン通路３０ａ自体の径が比較的小さい場合には、第１のリターン通路３０ａ内の圧力が電動低圧ポンプ２の吐出流量の変化に伴って感度を示すため、第１のリターン通路３０ａ内の圧力に基づく電動低圧ポンプ２のフィードバック制御が可能となる。
【００３１】
低圧燃料供給通路１８ｃと第１のリターン通路３０ａとの間に設けられた圧力調整弁１４は、低圧燃料供給通路１８ｃ内の圧力と、第１のリターン通路３０ａ内の圧力との差が所定の調圧値P1を越えたときに開弁されるオーバーフローバルブが用いられている。このため、電動低圧ポンプ２によって燃料が圧送されている状態においては、低圧燃料供給通路１８ａ〜１８ｃ内の圧力が、第１のリターン通路３０ａ内の圧力に対して、調圧値P1分上回るようになっている。
【００３２】
コモンレール１０に接続された第２のリターン通路３０ｂに備えられた圧力制御弁１２は、例えば供給されるパルス電圧の大きさによって弁体のストローク量が可変である電磁比例式の制御弁が用いられる。内燃機関の回転数やアクセル操作量に応じて求められるレール圧の目標値に応じて圧力制御弁１２が制御されることで、コモンレール１０から第２のリターン通路３０ｂに排出される高圧燃料の排出量が調節され、レール圧が目標値に制御される。コモンレール１０から排出される燃料は、第２のリターン通路３０ｂ及び第１のリターン通路３０ａを介して燃料タンク１に戻される。
【００３３】
燃料噴射弁１３は、背圧制御弁への通電制御によって、噴射孔を閉塞するノズルニードルの後端側に作用する背圧が逃されて噴射孔が開かれ、燃料が内燃機関に噴射される。この燃料噴射弁１３には第３のリターン通路３０ｃが接続されており、燃料噴射弁１３から逃される背圧は第３のリターン通路３０ｃ及び第１のリターン通路３０ａを介して燃料タンク１に還流される。第３のリターン通路３０ｃには、背圧燃料以外に燃料噴射弁１３内の低圧部からのリーク燃料も流出する。
【００３４】
本実施形態の蓄圧式燃料噴射装置５０における燃料の流れについて説明する。燃料タンク１内の燃料は、電動低圧ポンプ２によって低圧燃料供給通路１８ａ〜１８ｂを介して高圧ポンプ５のカム室１６内に流れ込み、そこからさらに低圧燃料供給通路１８ｃを介して加圧室５ａに送られる。このとき、加圧室５ａ側に圧送される低圧燃料の余剰分は、圧力調整弁１４及び第１のリターン通路３０ａを介して燃料タンク１に戻される。
【００３５】
加圧室５ａ内でプランジャ７によって加圧され吐出される燃料は高圧燃料通路３７を介してコモンレール１０に蓄積されるとともに、高圧燃料通路３９を介して接続された複数の燃料噴射弁１３に供給される。そして、燃料噴射弁１３への通電制御によって燃料が内燃機関の気筒内に噴射される。コモンレール１０及び燃料噴射弁１３から排出される燃料は、それぞれ第２のリターン通路３０ｂ又は第３のリターン通路３０ｃから第１のリターン通路３０ａに流されて、燃料タンク１に戻される。
【００３６】
本実施形態の蓄圧式燃料噴射装置５０では、電動低圧ポンプ２から吐出された燃料は、燃料噴射弁１３から噴射されない限り、第１のリターン通路３０ａや第２のリターン通路３０ｂ、第３のリターン通路３０ｃを介して燃料タンク１に戻される。
【００３７】
なお、本実施形態の蓄圧式燃料噴射装置５０の例では、第２のリターン通路３０ｂや第３のリターン通路３０ｃの合流部分よりも燃料タンク１側の第１のリターン通路３０ａに圧力センサ１１が備えられているが、リターン通路内は圧力的に連通した状態であるため、圧力センサ１１はリターン通路のいずれかの位置に備えられていればよい。ただし、第２のリターン通路１８ｂ又は第３のリターン通路１８ｃに圧力センサ１１を備える場合には、各リターン通路間の圧力損失を考慮することで電動低圧ポンプ２のフィードバック制御が可能になる。
【００３８】
また、圧力センサ１１は、電動低圧ポンプ２の吐出側の低圧燃料供給通路１８ａ〜１８ｃのいずれかの位置に備えられていてもよい。本実施形態の蓄圧式燃料噴射装置５０では、低圧燃料供給通路１８ｃに接続された圧力調整弁１４によって、低圧燃料供給通路１８ｃ内の圧力が第１のリターン通路１８ａ内の圧力よりも所定の調圧値P1分高く維持されるように構成されているため、低圧燃料供給通路１８ａ〜１８ｃに圧力センサ１１が備えられている場合であっても、調圧値P1を考慮し、さらに各低圧燃料供給通路間の圧力損失を考慮することで電動低圧ポンプ２のフィードバック制御が可能になる。
【００３９】
２．制御装置（蓄圧式燃料噴射装置の異常診断装置）
（１）全体構成
図２は、本実施形態の蓄圧式燃料噴射装置５０を構成する制御装置４０のうち、蓄圧式燃料噴射装置５０の異常検出に関する部分を機能的なブロックで表した構成例を示している。制御装置４０は、蓄圧式燃料噴射装置５０に備えられたセンサ等の情報だけでなく、燃料噴射量や噴射タイミング、回転数Ne等をはじめとする、内燃機関の運転状態に関する情報が読み込み可能になっている。
【００４０】
本実施形態の制御装置４０は、公知の構成からなるマイクロコンピュータ（図示せず）を中心に構成されており、圧力相関値検出部６２と、ポンプ駆動制御部６３と、レール圧制御部６４と、燃料噴射弁制御部６５と、異常判定部６８とを備えている。各部はマイクロコンピュータによるプログラムの実行によって実現される。また、制御装置４０には図示しないＲＡＭ（Random Access Memory）等の記憶部が備えられ、各種の読み込んだ情報や演算結果が記憶される。
【００４１】
（２）圧力相関値検出部
圧力相関値検出部６２は、低圧燃料供給通路又はリターン通路内の圧力と相関関係を有する圧力相関値を検出する部分である。本実施形態の蓄圧式燃料噴射装置５０は第１のリターン通路１８ａに圧力センサ１１を備えているため、圧力相関値検出部６２は、圧力センサ１１のセンサ値S1を継続的に読み込み第１のリターン通路３０ａ内の圧力の検出値Psensorを検出する。
【００４２】
（３）ポンプ駆動制御部
ポンプ駆動制御部６３は、第１のリターン通路１８ａ内の圧力が所定の目標値Plow_tgt0となるように、電動低圧ポンプ２への印加電圧を制御し、電動低圧ポンプ２の吐出流量Fpspを調節する。圧力の目標値Plow_tgt0は、第１のリターン通路３０ａからのリターン燃料の流出によって、サブタンク１ａ外の燃料をサブタンク１ａ内に吸引導入することが可能な程度の吸引力を発生させることができる還流流量Freturnが得られる圧力、あるいは、高圧ポンプ５へ吐出されるべき電動低圧ポンプ２の吐出量が得られる圧力のうちのいずれか高い方の圧力値に設定される。
【００４３】
本実施形態の蓄圧式燃料噴射装置５０においては、燃料タンク１直前の第１のリターン通路１８ａに圧力センサ１１が備えられているために、第１のリターン通路１８ａ内の圧力は圧力相関値検出部６２において圧力の検出値Psensorとして直接検出される。ポンプ駆動制御部６３は、圧力相関値検出部６２で検出される圧力の検出値Psensorを読み込み、この圧力の検出値Psensorが圧力の目標値Plow_tgt0となるようなリターン燃料の還流流量Freturnに、内燃機関への燃料の目標噴射量Qf_tgtを加算した吐出流量の目標値Fpsp_tgtに基づいて、電動低圧ポンプ２に印加する電圧の指示値Vpsp_tgtを決定する。それ以外の第２のリターン通路１８ｂや第３のリターン通路１８ｃ、低圧燃料供給通路１８ａ〜１８ｃに圧力センサ１１が備えられている場合には、圧力調整弁１４の調圧値P1や通路間の圧力損失を考慮することで第１のリターン通路１８ａ内の圧力を推定することができる。
【００４４】
（４）レール圧制御部
レール圧制御部６４は、レール圧センサ２１を用いて検出されるレール圧Prail_actや内燃機関の回転数Ne、アクセル操作量Acc等の情報をもとに目標レール圧Prail_tgtを算出し、検出されるレール圧Prail_actが目標レール圧Prail_tgtとなるように圧力制御弁１２及び流量制御弁８のうちの少なくとも一方の制御を行う。レール圧の制御は、流量制御弁８を全開にするとともに圧力制御弁１２を開閉制御してコモンレール１０からの燃料排出量を調節したり、圧力制御弁１２を全閉するとともに流量制御弁８を開閉制御してコモンレール１０に供給する高圧燃料の流量を調節したり、さらには、これらの排出量制御及び供給量制御を併用したりすることによって行われる。
【００４５】
（５）燃料噴射弁制御部
燃料噴射弁制御部６５は、内燃機関の回転数Neやアクセル操作量Acc、レール圧センサ２１によって検出されるレール圧Prail_act等の情報をもとに目標噴射量Qf_tgtを算出するとともに燃料噴射弁１３への通電量及び通電時間等を求め、燃料噴射弁１３の通電制御を行う。目標噴射量Qf_tgtは内燃機関の回転数Neやアクセル操作量Acc、レール圧Prail等の関係においてあらかじめ定められた演算式によって算出される。
【００４６】
（６）異常判定部
異常判定部６８は、圧力相関値検出部６２で検出される圧力の検出値Psensorを用いて、燃料低圧系の異常の有無を判定する。本実施形態の制御装置４０においては、圧力の検出値Psensorを用いて種々の異常判定を実行するように構成されている。以下、本実施形態の異常判定部６８で実行される異常判定の例について説明する。
【００４７】
（６）−１  第１の異常判定方法
図３は、第１の異常判定方法の例を示しており、電動低圧ポンプ２の制御不能異常の有無を判定するために実行される。この第１の異常判定方法の例では、電動低圧ポンプ２への印加電圧Vpsp_actが小さいにもかかわらず圧力の検出値Psensorが極めて高くなっているような電動低圧ポンプ２の制御不能異常が検出される。図３の例においては、圧力相関値検出部６２で検出される圧力の検出値Psensorがあらかじめ規定された閾値Psensor_thrよりも高くなっており（Psensor＞Psensor_thr）、かつ、電動低圧ポンプ２への印加電圧Vpsp_actが最小値に近い閾値Vmin未満となっている（Vpsp_act＜Vmin）場合に、電動低圧ポンプ２の制御不能異常と判定される。閾値Psensor_thrは、例えば、高圧ポンプ５や低圧燃料供給通路１８ａ〜１８ｃ等に形成されたシール部分の許容圧力を考慮して設定したり、駆動回路の個体差に起因する閾値Vminのバラつきと電動低圧ポンプ２個々の吐出流量のバラつきと燃料供給経路内での圧力損失との関係から想定され得る圧力を考慮して設定したりすることができる。
【００４８】
図３の例では、さらに、レール圧制御部６４で検出されるレール圧Prail_actが、同じくレール圧制御部６４で算出される目標レール圧Prail_tgtよりも高い状態（Prail_act＞Prail_tgt）にあるか否かによって処置の切り分けが行われるようになっている。レール圧Prail_actが目標レール圧Prail_tgtよりも高くなっていない状態であれば、内燃機関のトルクを制限し、リンプホームモードに入る。一方、レール圧Prail_actが目標レール圧Prail_tgtよりも高い状態であれば、レール圧Prail_actの制御不能に陥っているために内燃機関を強制停止する。このように、レール圧Prail_actが目標レール圧Prail_tgtよりも高い状態にあるか否かを判定する場合においては、レール圧Prail_actの変化を正確に把握するためにレール圧コモンレール１０に備えられた圧力制御弁１２を開ループ制御とすることが好ましい。
【００４９】
次に、図３に示す第１の異常判定方法を実行する際の具体例を図４のフローに基づいて説明する。
第１の異常判定方法のフローでは、まず、ステップＳ１１で圧力センサ１１による圧力の検出値Psensorが読み込まれた後、ステップＳ１２において圧力の検出値Psensorがあらかじめ規定された閾値Psensor_thrを超えているか否かが判別される。圧力の検出値Psensorが閾値以下である場合には第１のリターン通路１８ａ内の圧力自体には異常が見られないためにそのまま本ルーチンを終了してステップＳ１１に戻る。
【００５０】
一方、圧力の検出値Psensorが閾値Psensor_thrを超えている場合には、ステップＳ１３に進み、ステップＳ１１で読み込まれた圧力の検出値Psensorが検出されたときの電動低圧ポンプ２の印加電圧Vpsp_actが読み込まれた後、ステップＳ１４において、読み込まれた印加電圧Vpsp_actが最小値に近い閾値Vmin未満となっているか否かが判別される。電動低圧ポンプ２への印加電圧Vpsp_actが閾値Vmin以上になっている場合には、圧力の検出値Psensorと電動低圧ポンプ２への印加電圧Vpsp_actとが矛盾することがないため、そのまま本ルーチンを終了してステップＳ１１に戻る。
【００５１】
一方、電動低圧ポンプ２の印加電圧Vpsp_actが閾値Vmin未満となっている場合には、ステップＳ１５で燃料低圧系の異常有りと判定し運転者に異常を知らせる。次いで、ステップＳ１６に進みレール圧Prail_actが読み込まれるとともに、ステップＳ１７でレール圧Prail_actが目標レール圧Prail_tgtを超えているか否かが判別される。レール圧Prail_actが目標レール圧Prail_tgt以下である場合にはレール圧Prail_actの制御に大きな異常が見られないことから、ステップＳ１９に進み、内燃機関のトルクを制限し、リンプホームモードに入り本ルーチンを終了する。
【００５２】
一方、レール圧Prail_actが目標レール圧Prail_tgtを超えている場合には、レール圧Prail_actの制御不能に陥っているために、ステップＳ１８に進み内燃機関を強制停止して本ルーチンを終了する。
【００５３】
（６）−２  第２の異常判定方法
図５は、第２の異常判定方法の例を示しており、この例も電動低圧ポンプ２の制御不能異常の有無を判定するために実行される。この第２の異常判定方法の例では、基本的に第１の異常判定方法の例と同じように、電動低圧ポンプ２への印加電圧Vpsp_actが小さいにもかかわらず圧力の検出値Psensorが若干高くなっているような電動低圧ポンプ２の制御不能異常が検出される。
【００５４】
図５の例においては、圧力相関値検出部６２で検出される圧力の検出値Psensorから、想定される第１のリターン通路１８ａ内の圧力の目標値Plow_tgtを減算した差分の値ΔPlowが、あらかじめ規定された閾値ΔPlow_thrAよりも大きくなっており（ΔPlow＞ΔPlow_thrA）、かつ、電動低圧ポンプ２への印加電圧Vpsp_actが最小値に近い閾値Vmin未満となっている（Vpsp_act＜Vmin）場合に、電動低圧ポンプ２の制御不能異常と判定される。
【００５５】
次に、図５に示す第２の異常判定方法を実行する際の具体例を図６のフローに基づいて説明する。
第２の異常判定方法のフローでは、まず、ステップＳ２１で圧力センサ１１による圧力の検出値Psensorが読み込まれた後、ステップＳ２２で圧力の検出値Psensorが検出されたときの電動低圧ポンプ２のフィードバック制御に用いられた第１のリターン圧力１８ａ内の圧力の目標値Plow_tgtが読み込まれる。次いで、ステップＳ２３において圧力の検出値Psensorから圧力の目標値Plow_tgtを減算した差分の値ΔPlowがあらかじめ規定された閾値ΔPlow_thrAを超えているか否かが判別される。
【００５６】
差分の値ΔPlowが閾値ΔPlow_thrA以下である場合には第１のリターン通路１８ａ内の圧力自体には異常が見られないためにそのまま本ルーチンを終了してステップＳ２１に戻る。一方、差分の値ΔPlowが閾値ΔPlow_thrAを超えている場合には、ステップＳ２４に進み、ステップＳ２１で読み込まれた圧力の検出値Psensorが検出されたときの電動低圧ポンプ２の印加電圧Vpsp_actが読み込まれた後、ステップＳ２５において、読み込まれた印加電圧Vpsp_actが最小値に近い閾値Vmin未満となっているか否かが判別される。電動低圧ポンプ２への印加電圧Vpsp_actが閾値Vmin以上になっている場合には、圧力の検出値Psensorと電動低圧ポンプ２への印加電圧Vpsp_actとが矛盾することがないため、そのまま本ルーチンを終了してステップＳ２１に戻る。
【００５７】
一方、電動低圧ポンプ２の印加電圧Vpsp_actが閾値Vmin未満となっている場合には、電動低圧ポンプ２への印加電圧Vpsp_actが小さいにもかかわらず圧力の検出値Psensorが高くなっている状態であるために、ステップＳ２６に進み燃料低圧系の異常有りと判定して本ルーチンを終了し、ステップＳ２１へ戻る。ステップＳ２６で燃料低圧系の異常有りと判定された状態では、第１のリターン通路１８ａ内の圧力が未だ許容できる範囲内にはあるが電動低圧ポンプ２が制御不能になっていると判断されるため、リンプホームモードに入り、運転者へ異常を知らせるようにする。
【００５８】
なお、第２の異常判定方法の例においても、第１の異常判定方法と同様に、レール圧Prail_act目標レール圧Prail_tgtよりも高い状態にあること（Prail_act＞Prail_tgt）が条件に加えられていてもよい。
【００５９】
（６）−３  第３の異常判定方法
図７は、第３の異常判定方法の例を示しており、電動低圧ポンプ２が燃料タンク１から燃料を吸い上げることが困難になる異常の有無を判定するために実行される。この第３の異常判定方法の例では、圧力相関値検出部６２で検出される圧力の検出値Psensorが、電動低圧ポンプ２のフィードバック制御に用いられる圧力の目標値Plow_tgt0よりも若干低いような異常が検出される。
【００６０】
ポンプ駆動制御部６３による電動低圧ポンプ２のフィードバック制御中にもかかわらず、圧力の検出値Psensorが圧力の目標値Plow_tgtに到達しないということは、燃料タンク１に戻されるリターン燃料の流量Freturnが不足していると考えられる。このような状態では、例えば、燃料タンク１内のサブタンク１ａ内に燃料が溜まらず、車両が傾いたりしたときに電動低圧ポンプ２が燃料を吸い上げにくくなるおそれがあることから、圧力の検出値Psensorが圧力の目標値Plow_tgt0よりも低くなっている場合に燃料低圧系の異常として検出するようになっている。
【００６１】
図７の例においては、圧力相関値検出部６２で検出される圧力の検出値Psensorから、想定される第１のリターン通路１８ａ内の圧力の目標値Plow_tgtを減算した差分の値ΔPlowが、あらかじめ規定された閾値ΔPlow_thrBよりも小さくなっている（ΔPlow＜Plow_thrB）ときに、電動低圧ポンプ２への印加電圧Vpsp_actがポンプ駆動制御部６３で算出される電圧の指示値Vpsp_tgtよりも所定の閾値ΔVpsp_thrを超えて小さくなっている（Vpsp_tgt−Vpsp_act＞ΔVpsp_thr）場合に、燃料低圧系の異常と判定される。さらに、第３の異常判定においては、燃料タンク１に備えられた残量センサによって検出される燃料タンク１内の燃料の残量レベルLtankが所定値Ltank0以上か否かによってガス欠による異常検知と切り分けられるようになっている。
【００６２】
次に、図７に示す第３の異常判定方法を実行する際の具体例を図８のフローに基づいて説明する。
第３の異常判定方法のフローでは、まず、ステップＳ３１で圧力センサ１１による圧力の検出値Psensorが読み込まれた後、ステップＳ３２で圧力の検出値Psensorが検出されたときの電動低圧ポンプ２のフィードバック制御に用いられた第１のリターン通路１８ａ内の圧力の目標値Plow_tgtが読み込まれる。次いで、ステップＳ３３において圧力の目標値Plow_tgtから圧力の検出値Psensorを減算した差分の値ΔPlowがあらかじめ規定された閾値ΔPlow_thrBを下回っているか否かが判別される。
【００６３】
差分の値ΔPlowが閾値ΔPlow_thrB以上である場合には第１のリターン通路１８ａ内の圧力自体には異常が見られないためにそのまま本ルーチンを終了してステップＳ３１に戻る。一方、差分の値ΔPlowが閾値ΔPlow_thrBを下回っている場合には、ステップＳ３４に進み、ステップＳ３１で読み込まれた圧力の検出値Psensorが検出されたときの電動低圧ポンプ２の印加電圧Vpsp_actが読み込まれるとともに、ステップＳ３５でそのときの電圧の指示値Vpsp_tgtが読み込まれる。その後、ステップＳ３６において、電圧の指示値Vpsp_tgtから印加電圧Vpsp_actを減算した値ΔVpspがあらかじめ規定された所定の閾値ΔVpsp_thrを超えているか否かが判別される。
【００６４】
減算値ΔVpspが閾値ΔVpsp_thr以下である場合には、燃料タンク１に戻されるリターン燃料の流量Freturnが満足されるため、そのまま本ルーチンを終了してステップＳ３１に戻る。一方、減算値ΔVpspが閾値ΔVpsp_thrを超えている場合には、燃料タンク１に戻されるリターン燃料の流量Freturnが不足していると考えられるため、ステップＳ３７に進み燃料低圧系の異常有りと判定してステップＳ３８に進む。
【００６５】
ステップＳ３８では、燃料タンク１に備えられた残量センサのセンサ値から得られる燃料の残量レベルLtankが読み込まれる。次いで、ステップＳ３９において、燃料の残量レベルLtankが所定値Ltank0未満であるか否かが判別され、残量レベルLtankが所定値Ltank0未満であれば、ステップＳ４０でリターン燃料の流量Freturn不足がガス欠によるものと判定して本ルーチンを終了し、ステップＳ３１に戻る。一方、残量レベルLtankが所定値Ltank0以上の場合にはステップＳ４１に進む。
【００６６】
ステップＳ４１では、燃料温度Tfが検出され、さらに、ステップＳ４２で燃料温度Tfが閾値Tf_thr未満であるか否かが判別される。燃料温度Tfが閾値Tf_thr未満である場合には、ステップＳ４３で今度は内燃機関の冷却水の温度Tcが検出され、さらに、ステップＳ４４で冷却水の温度Tcが閾値Tc_thr未満であるか否かが判別される。ステップＳ４２で燃料温度Tfが閾値Tf_thr以上である場合や、ステップＳ４４で冷却水の温度Tcが閾値Tc以上である場合には、燃料の固形化のおそれがないことからそのまま本ルーチンを終了し、ステップＳ３１に戻る。
【００６７】
一方、ステップＳ４４で冷却水の温度Tcも閾値Tc_thr未満である場合には、ステップＳ４５でリターン燃料の流量Freturn不足が燃料の固形化に起因する燃料フィルタ４の詰まりによるものと判定して本ルーチンを終了し、ステップＳ３１に戻る。ステップＳ４０でガス欠のおそれが判定された場合や、ステップＳ４５で燃料の固形化に起因する燃料フィルタ４の詰まりのおそれが判定された場合には、警報手段等によって運転者へ異常が知らせられる。また、ステップＳ４５で燃料の固形化に起因する燃料フィルタ４の詰まりのおそれが判定された場合には、燃料フィルタ４を加熱する制御が行われるようにしてもよい。
【００６８】
第３の異常判定方法のフローにおいて、ステップＳ３８以降のステップは、リターン燃料の流量Freturnの不足の原因が、ガス欠によるものであるか、燃料の固形化に起因する燃料フィルタ４の詰まりによるものであるかを切り分けるために実行されるステップであるが、省略されても構わない。
【００６９】
（６）−４  第４の異常判定方法
図９は、第４の異常判定方法の例を示しており、燃料低圧系からの燃料漏れのおそれがあるような異常の有無を判定するために実行される。この第４の異常判定方法の例では、燃料低圧系内の圧力が、燃料低圧系を構成する低圧燃料供給通路やリターン通路等のコンポーネントの最大許容圧力を超えるような異常が検出される。具体的には、圧力相関値検出部６２で検出される圧力の検出値Psensorが、あらかじめ設定された許容圧力の閾値Plow_maxを超えている場合に、燃料低圧系からの燃料漏れのおそれがあると判定される。
【００７０】
次に、図９に示す第４の異常判定方法を実行する際の具体例を図１０のフローに基づいて説明する。
第４の異常判定方法のフローでは、まず、ステップＳ５１で圧力センサ１１による圧力の検出値Psensorが読み込まれた後、ステップＳ５２において圧力の検出値Psensorがあらかじめ設定された許容圧力の閾値Plow_maxを超えているか否かが判別される。圧力の検出値Psensorが閾値Plow_max以下である場合には、第１のリターン通路１８ａ内の圧力に異常は見られないことからそのまま本ルーチンを終了して、ステップＳ５１に進む。
【００７１】
一方、圧力の検出値Psensorが閾値Plow_maxを超えている場合には、ステップＳ５３で、燃料低圧系の圧力が低圧燃料供給通路やリターン通路等のコンポーネントの最大許容圧力を超えており、燃料低圧系からの燃料漏れのおそれがあるような異常が生じていると判定され、本ルーチンを終了してステップＳ５１に戻る。ステップＳ５３で異常が生じていると判定された場合には、できるだけ早期に電動低圧ポンプ２の駆動を停止させたり、内燃機関を強制停止させたりすることで、被害の拡大が阻止される。
【００７２】
（６）−５  第５の異常判定方法
図１１は、第５の異常判定方法の例を示しており、本実施形態の蓄圧式燃料噴射装置５０のように第１のリターン通路１８ａ内の圧力が燃料タンク１内のサブタンク１ａ内への燃料の導入に大きく影響するような場合において、第１のリターン通路１８ａ内の圧力不足の異常の有無を判定するために実行される。また、この第５の異常判定方法の例では、第１のリターン通路１８ａ内の圧力不足の異常が検出された時に、その原因が燃料の固形化（ワキシング）による燃料フィルタ４の詰まりである可能性についても判定される。
【００７３】
この第５の異常判定方法の例では、電動低圧ポンプ２へ電力が供給されており、圧力の検出値Psensorが必要最小圧力の閾値Plow_minを下回っている（Psensor＜Plow_min）場合に、第１のリターン通路１８ａ内の圧力が不足していると判定される。このとき、燃料タンク１に備えられた残量センサによって検出される燃料タンク１内の燃料の残量レベルLtankが所定値Ltank0を超えており、燃料温度Tfが閾値Tf_thr未満、かつ、内燃機関の冷却水の温度Tcが閾値Tc_thr未満であるときに、第１のリターン通路１８ａ内の圧力不足が、ガス欠でもなく、燃料の固形化による燃料フィルタ４の詰まりに起因して生じているおそれがあると判定される。
【００７４】
次に、図１１に示す第５の異常判定方法を実行する際の具体例を図１２のフローに基づいて説明する。
第５の異常判定方法のフローでは、まず、ステップＳ６１で圧力センサ１１による圧力の検出値Psensorが読み込まれた後、ステップＳ６２において圧力の検出値Psensorが必要最小圧力の閾値Plow_min未満であるか否かが判別される。圧力の検出値Psensorが閾値Plow_min以上である場合には、燃料タンク１に戻されるリターン燃料の流量Freturnが満足されるため、そのまま本ルーチンを終了してステップＳ６１に戻る。一方、圧力の検出値Psensorが閾値Plow_min未満である場合には、燃料タンク１に戻されるリターン燃料の流量Freturnが不足していると考えられるため、ステップＳ６３に進み燃料低圧系の異常有りと判定される。
【００７５】
燃料低圧系の異常有りと判定された後は、第３の異常判定方法のフローのステップＳ３７以下と同様のステップが実行されることで、圧力の検出値Psensorが必要最小圧力Plow_minに到達しない原因が、ガス欠によるものであるか、燃料の固形化に起因する燃料フィルタ４の詰まりによるものであるかが切り分けられ、運転者に対して知らせられる。
【００７６】
以上のように、圧力センサによって検出されるリターン通路や低圧燃料供給通路内の圧力を用いて、種々の判定方法によって燃料低圧系における異常の有無を判定することで、燃料低圧系に異常が生じている場合に確実にその異常を検出することができる。したがって、燃料低圧系の異常に起因する電動低圧ポンプの吐出流量不足によるレール圧異常や内燃機関の停止、燃料漏れ等のおそれが低減される。
【００７７】
なお、これまで説明した燃料低圧系の異常判定方法の具体的フローにおいて、第１〜第５の異常判定方法は単独で実行されてもよいし、複数実行されるようになっていても構わない。
また、各異常判定方法の例において、定められた条件が成立している状態が所定時間継続したときに燃料低圧系の異常と判定することにより、なんらかの外乱でノイズ的に圧力センサによる検出値Psensorが異常値を示した時に燃料低圧系の異常と判定されることがなくなる。
【００７８】
［第２の実施の形態］
本発明の第２の実施の形態にかかる蓄圧式燃料噴射装置は、基本的には第１の実施の形態の蓄圧式燃料噴射装置と同様の構成を有しているが、低圧燃料供給通路及びリターン通路のいずれにも圧力センサが設けられておらず、圧力を直接検出することができない構成となっている。そのため、本実施形態の制御装置では、低圧燃料供給通路又はリターン通路内の圧力の推定値を用いて、燃料低圧系の異常の有無を診断できるように構成されている。以下、第１の実施の形態と共通する部分の説明は省略し、第１の実施の形態と異なる部分を中心に説明する。
【００７９】
本実施形態の蓄圧式燃料噴射装置に備えられた制御装置において、圧力相関値検出部６２は、燃料タンク１へのリターン燃料の還流流量Freturnを算出し、この還流流量Freturnに基づいて第１のリターン通路１８ａ内の圧力を推定するように構成されている。
【００８０】
圧力相関値検出部６２は、電動低圧ポンプ２への印加電圧Vpsp_actと燃料噴射弁１３から噴射される燃料の噴射流量Finjに関する情報を読み込み、電動低圧ポンプ２への印加電圧Vpsp_actに応じた吐出流量Fpsp0から噴射流量Finjを減算することにより、燃料タンク１に還流する燃料の還流流量Freturnを算出する。本実施形態では、高圧ポンプ５、コモンレール１０及び燃料噴射弁１３から流出する燃料がすべて燃料タンク１に戻されるように構成されているため、還流流量Freturnは、吐出流量Fpsp0及び噴射流量Finjのみに依存している。したがって、吐出流量Fpsp0から噴射流量Finjを減算することで還流流量Freturnを算出することが可能になっている。噴射流量Finjは、燃料噴射弁制御部６５で算出される目標噴射量Qf_tgtに基づき得られる。
【００８１】
また、圧力相関値検出部６２は、算出された還流流量Freturnを読み込み、この還流流量Freturnをもとに第１のリターン通路３０ａ内の圧力を推定する。圧力相関値検出部６２には、図１３に示すような還流流量Freturnと第１のリターン通路３０ａ内の圧力との関係を示すマップ情報map1が予め格納されている。圧力相関値検出部６２は、このマップ情報map1を参照して、算出された還流流量Freturnをもとに、圧力センサ１１が備えられた第１のリターン通路３０ａ内の圧力の推定値Pestを求める。
【００８２】
制御装置の圧力相関値検出部の構成以外の各部については第１の実施の形態と同様に構成され、異常判定部６８において、圧力センサを用いて検出される圧力の検出値Psensorの代わりに、圧力相関値検出部６２で算出される圧力の推定値Pestが用いられて、同様の異常判定が実行される。したがって、圧力センサが備えられていない場合であっても、燃料低圧系の異常を確実に検出することができる。
【００８３】
［第３の実施の形態］
本発明の第３の実施の形態にかかる蓄圧式燃料噴射装置は、基本的には第１の実施の形態の蓄圧式燃料噴射装置と同様の構成を有しているが、低圧燃料供給通路及びリターン通路のいずれにも圧力センサが設けられておらず、圧力を直接検出することができない構成となっている。そのため、本実施形態の制御装置では、低圧燃料供給通路又はリターン通路内の圧力と相関関係を有する、圧力センサのセンサ値以外の圧力相関値を用いて、燃料低圧系の異常の有無を診断できるように構成されている。以下、第１の実施の形態と共通する部分の説明は省略し、第１の実施の形態と異なる部分を中心に説明する。
【００８４】
１．制御装置（蓄圧式燃料噴射装置の異常診断装置）
図１４は、蓄圧式燃料噴射装置を構成する本実施形態の制御装置１００のうち、蓄圧式燃料噴射装置の異常検出に関する部分を機能的なブロックで表した構成例を示している。制御装置１００は、第１の実施の形態の制御装置と同様に、蓄圧式燃料噴射装置に備えられたあらゆるセンサ等の情報だけでなく、燃料噴射量や噴射タイミング、回転数Ne等をはじめとする、内燃機関の運転状態に関する情報が読み込み可能になっている。
【００８５】
本実施形態の制御装置１００は、圧力相関値検出部１０２と、ポンプ駆動制御部１０３と、レール圧制御部１０４と、燃料噴射弁制御部１０５と、異常判定部１０８とを備えている。各部はマイクロコンピュータによるプログラムの実行によって実現される。また、制御装置１４０には図示しないＲＡＭ（Random Access Memory）等の記憶部が備えられ、各種の読み込んだ情報や演算結果が記憶される。
【００８６】
このうち、ポンプ駆動制御部１０３と、レール圧制御部１０４と、燃料噴射弁制御部１０５は、基本的に第１の実施の形態のポンプ駆動制御部、レール圧制御部、燃料噴射弁制御部と同様に構成されている。ただし、本実施形態の制御装置１００のポンプ駆動制御部１０３は、リターン通路内の圧力に基づいて電動低圧ポンプ２への供給電圧のフィードバック制御が行われるようになっていなくても構わない。また、本実施形態の制御装置１００のポンプ駆動制御部１０３は、異常診断の実行時においては電動低圧ポンプ２への印加電圧の指示値Vpsp_tgtを診断目標値Vpsp_digに設定する。
【００８７】
一方、本実施形態の制御装置１００の圧力相関値検出部１０２は、電動低圧ポンプ２の吐出側の低圧燃料供給通路１８ａ内の圧力の相関値として、電動低圧ポンプ２への供給電流値Apsp_actを検出する。
【００８８】
図１５は、電動低圧ポンプ２に対して印加される電圧Vpsp_actが一定である場合の、電動低圧ポンプ２の吐出側の圧力Pfeedと吐出流量Fpsp及び供給電流値Apsp_actとの関係を示している。この図１５から明らかなように、印加電圧Vpsp_actが一定である場合には、電動低圧ポンプ２の吐出側の圧力Pfeedが大きくなるにしたがって、吐出流量Fpspが減少する一方、供給電流値Apsp_actが増加する。したがって、電動低圧ポンプ２の吐出側の低圧燃料供給通路１８ａ内の圧力Pfeedと電動低圧ポンプ２への供給電流値Apsp_actとは相関関係があることが理解される。
【００８９】
本実施形態の制御装置１００の異常判定部１０８は、圧力相関値検出部１０２で検出される電動低圧ポンプ２への供給電流値Apsp_actを用いて燃料低圧系の異常の有無を判定する。具体的には、供給電流値Apsp_actが異常な値を示している場合においては、低圧燃料供給通路１８ａ内の圧力Pfeedが異常な状態になっていると推定して、燃料低圧系の異常を検出する。
【００９０】
２．異常判定方法
図１６は、本実施形態の異常判定部１０８で実行される異常判定方法の例を示している。この異常判定方法の例では、ポンプ駆動制御部１０３によって設定されている電動低圧ポンプ２への印加電圧Vpsp_actと診断目標値Vpsp_digとの差分の値ΔVpsp_digが所定の誤差ΔVpsp0の範囲内にあり（Vpsp_act≒Vpsp_dig）、かつ、圧力相関値検出部１０２で検出される電動低圧ポンプ２への供給電流値Apsp_actが許容電流値Apsp_maxを超えている（Apsp_act＞Apsp_max）場合に、燃料低圧系の異常と判定される。
【００９１】
図１６の例では、電動低圧ポンプ２への印加電圧の指示値Vpsp_tgtを診断目標値Vpsp_digに固定した状態で、供給電流値Apsp_actと許容電流値Apsp_maxとを比較しているが、電動低圧ポンプ２への印加電圧ごとに許容電流値Apsp_maxを設定することによって、異常判定時の印加電圧Vpsp_actを固定する必要がなくなる。
【００９２】
また、印加電圧Vpsp_actと診断目標値Vpsp_digとの差分の値ΔVpsp_digが誤差ΔVpsp0の範囲内にあり、かつ、供給電流値Apsp_actが許容電流値Apsp_maxを超えている状態が、所定時間継続したときに燃料低圧系の異常と判定することにより、なんらかの外乱でノイズ的に供給電流値Apsp_actが大きくなった時に燃料低圧系の異常と判定されることがなくなる。
【００９３】
次に、図１６に示す異常判定方法を実行する際の具体例を図１７のフローに基づいて説明する。
まず、ステップＳ７１で電動低圧ポンプ２に印加されている電圧Vpsp_actが読込まれるとともに、ステップＳ７２で電動低圧ポンプ２に印加する電圧の診断目標値Vpsp_digが読込まれる。次いで、ステップＳ７３で読込まれた印加電圧Vpsp_actと診断目標値Vpsp_digとの差分の値ΔVpsp_digが所定の誤差ΔVpsp0の範囲内にあるか否かが判別される。
【００９４】
差分の値ΔVpsp_digが誤差ΔVpsp0の範囲内にない場合には正確に異常判定を実行することが困難であるために、そのまま本ルーチンを終了してステップＳ７１に戻る。一方、差分の値ΔVpsp_digが誤差ΔVpsp0の範囲内となっている場合には、ステップＳ７４に進み、電動低圧ポンプ２への供給電流値Apsp_actが読込まれる。
【００９５】
次いで、ステップＳ７５において、読込まれた供給電流値Apsp_actが電圧の診断目標値Vpsp_digに応じて設定されている許容電流値Apsp_maxを超えているか否かが判別される。供給電流値Apsp_actが許容電流値Apsp_max以下であれば、電動低圧ポンプ２への供給電流値Apsp_actに異常は見られず、低圧燃料供給通路１８ａ内の圧力Pfeedが平常状態であると推定されるために、本ルーチンを終了してステップＳ７１に戻る。一方、供給電流値Apsp_actが許容電流値Apsp_maxを超えている場合には、印加電圧Vpsp_actに対して供給電流値Apsp_actが異常な状態になっており、低圧燃料供給通路１８ａ内の圧力Pfeedに異常が見られるため、ステップＳ７６に進み、燃料低圧系の異常有りと判定する。
【００９６】
燃料低圧系の異常有りと判定された後は、さらに、低圧燃料供給通路１８ａ内の圧力Pfeedの異常が燃料の固形化に起因する燃料フィルタ４の詰まりによるものであるかを判別するようにしてもよい。この判別を実行する場合には、第１の実施の形態の第３の異常判定方法のフローで説明したステップＳ４０〜Ｓ４４（図８）と同様のステップが実行され、運転者に対して異常が知らせられる。
【００９７】
３．変形例
ここまで説明した本実施形態の制御装置１００では、電動低圧ポンプ２への印加電圧Vpsp_actに対して供給電流値Apsp_actが異常な値になっていないかを見ることで燃料低圧系の異常の有無の診断が実行される。類似する異常判定の方法としては、例えば、電動低圧ポンプ２の回転数が一定に保たれるように印加電圧のフィードバック制御が行われる構成の蓄圧式燃料噴射装置の場合には、印加電圧Vpsp_actの代わりに電動低圧ポンプ２の回転数Npを検出して、同様の異常判定方法を実行することができる。
【符号の説明】
【００９８】
１：燃料タンク、１ａ：サブタンク、２：電動低圧ポンプ、３：ジェットポンプ、３ａ：燃料導入通路、３ａａ：テーパ部分、３ｂ：オリフィス、４：燃料フィルタ、５：高圧ポンプ、５ａ：加圧室、７：プランジャ、８：流量制御弁、１０：コモンレール、１１：圧力センサ、１２：圧力制御弁、１３：燃料噴射弁、１４：圧力調整弁（オーバーフローバルブ）、１６：カム室、１８ａ・１８ｂ・１８ｃ：低圧燃料供給通路、２１：レール圧センサ、３０ａ・３０ｂ・３０ｃ：リターン通路、３７・３９：高圧燃料通路、４０：制御装置（異常診断装置）、５０：蓄圧式燃料噴射装置、６２：圧力相関値検出部、６３：ポンプ駆動制御部、６４：レール圧制御部、６５：燃料噴射弁制御部、６８：異常判定部、１００：制御装置（異常診断装置）、１０２：圧力相関値検出部、１０３：ポンプ駆動制御部、１０４：レール圧制御部、１０５：燃料噴射弁制御部、１０８：異常判定部
【図１】
2011058448.tif 000003
【図２】
2011058448.tif 000004
【図３】
2011058448.tif 000005
【図４】
2011058448.tif 000006
【図５】
2011058448.tif 000007
【図６】
2011058448.tif 000008
【図７】
2011058448.tif 000009
【図８】
2011058448.tif 000010
【図９】
2011058448.tif 000011
【図１０】
2011058448.tif 000012
【図１１】
2011058448.tif 000013
【図１２】
2011058448.tif 000014
【図１３】
2011058448.tif 000015
【図１４】
2011058448.tif 000016
【図１５】
2011058448.tif 000017
【図１６】
2011058448.tif 000018
【図１７】
2011058448.tif 000019